【手続補正書】
【提出日】平成23年8月29日(2011.8.29)
【手続補正１】
【補正対象書類名】特許請求の範囲
【補正対象項目名】全文
【補正方法】変更
【補正の内容】
【特許請求の範囲】
【請求項１】
仮想現実シミュレーションを生成するためのコンピュータ実施方法であって、
１若しくはそれ以上のシミュレーション被験者と或る物理的環境との間の相互作用を示す或るシミュレーションデータセットをプロセッサを介して読み出すステップと、
或る物理的環境内において或る病原体がどのように拡散するのかを示す疾病伝播モデルをプロセッサを介して読み出すステップと、
前記疾病伝播モデルを前記シミュレーションデータセットに適用し、前記シミュレーションデータセットに基づいて前記物理的環境における前記病原体の第１の伝播を予測するテップと、
前記物理的環境における前記病原体の予測される伝播の程度を示す伝播データを取得するステップと、
前記取得した伝播データに基づいて、前記物理的環境における前記病原体の前記予測された第１の伝播を減少させるための改善策を開発するステップと、
前記疾病伝播モデルを前記シミュレーションデータセット及び前記開発された改善策に適用し、前記シミュレーションデータセット及び前記開発された改善策に基づいて前記物理的環境における前記病原体の第２の伝播を予測するステップと、
前記物理的環境における前記病原体の前記予測された第１及び第２の伝播を表す仮想現実シミュレーションを生成するステップと、
前記仮想現実シミュレーション及び前記開発された改善策を仮想現実ディスプレイプラットホームに表示するステップとを含む方法。
【請求項２】
請求項１に記載の方法であって、
前記仮想現実シミュレーションが、前記物理的環境における前記病原体の前記予測された第１の伝播についての視覚可能な表示をユーザに提供することを特徴とする方法。
【請求項３】
請求項２に記載の方法であって、
前記視覚可能な表示が、前記物理的環境の表面上における予測される病原体の存在及び微生物負荷を示すのに使用される色或いは強度の変更を含むことを特徴とする方法。
【請求項４】
請求項１に記載の方法であって、
前記シミュレーションデータセットの変更の選択を受け取るステップと、
前記疾病伝播モデルを前記変更されたシミュレーションデータに適用し、前記変更されたシミュレーションデータセットに基づいて前記物理的環境における前記病原体の第３の伝播を予測するステップと、
前記物理的環境における前記病原体の前記予測された第３の伝播を示す第２の仮想現実シミュレーションを生成するステップと、
前記変更されたシミュレーションデータに基づいて予測された前記物理的環境における前記病原体の前記第３の伝播の変化を強調表示するようにして、前記第２の仮想現実シミュレーションを仮想現実ディスプレイプラットホームに表示するステップとをさらに含む方法。
【請求項５】
請求項１に記載の方法であって、
前記シミュレーションデータセットが、前記物理的環境における前記病原体の初期微生物負荷を明確にし、
前記１若しくはそれ以上のシミュレーション被験者の前記物理的環境との相互作用が、前記物理的環境における前記病原体の拡散を予測するために疾病伝播モデルで使用されることを特徴とする方法。
【請求項６】
請求項１に記載の方法であって、
前記仮想現実シミュレーションが、前記物理的環境と相互作用する１若しくはそれ以上のシミュレーション被験者をさらに表示することを特徴とする方法。
【請求項７】
請求項１に記載の方法であって、
前記疾病伝播モデルが、前記表面の材質、前記シミュレーション被験者と前記表面との間の推定される接触程度及び接触時間、前記シミュレーション被験者同士の接触、前記病原体の種類、或いは前記シミュレーション被験者の前記物理的環境から前記病原体を減少させるまたは除去するための行動を明らかにするために行われた微生物伝播の研究に基づいたものであることを特徴とする方法。
【請求項８】
請求項１に記載の方法であって、
前記シミュレーション被験者の前記物理的環境との相互作用を記録するステップをさらに含み、
前記記録された相互作用が、前記シミュレーションデータセットを作成するために使用されることを特徴とする方法。
【請求項９】
システムであって、
プロセッサと、
仮想現実ツールを格納するメモリと、
仮想現実シミュレーションを表示するように構成された仮想現実ディスプレイプラットホームと、
１若しくはそれ以上のシミュレーション被験者と或る物理的環境との間の相互作用を示す或るシミュレーションデータセットを作成するために、前記シミュレーション被験者と前記物理的環境との相互作用をモニタリングするように構成されたデータ収集システムとを含み、
前記仮想現実ツールが、
前記シミュレーションデータセットを読み出すステップと、
或る物理的環境内において或る病原体がどのように拡散するのかを示す疾病伝播モデルを読み出すステップと、
前記疾病伝播モデルを前記シミュレーションデータセットに適用し、前記シミュレーションデータセットに基づいて前記物理的環境における前記病原体の第１の伝播を予測するテップと、
前記物理的環境における前記病原体の予測される伝播の程度を示す伝播データを取得するステップと、
前記取得した伝播データに基づいて、前記物理的環境における前記病原体の前記予測された第１の伝播を減少させるための改善策を開発するステップと、
前記疾病伝播モデルを前記シミュレーションデータセット及び前記開発された改善策に適用し、前記シミュレーションデータセット及び前記開発された改善策に基づいて前記物理的環境における前記病原体の第２の伝播を予測するステップと、
前記物理的環境における前記病原体の前記予測された第１及び第２の伝播を表す仮想現実シミュレーションを生成するステップと、
前記仮想現実シミュレーション及び前記開発された改善策を仮想現実ディスプレイプラットホームに表示するステップとを実施するように構成されたことを特徴とするシステム。
【請求項１０】
請求項９に記載のシステムであって、
前記仮想現実シミュレーションが、前記物理的環境における前記病原体の前記予測された第１及び第２の伝播についての視覚可能な表示をユーザに提供することを特徴とするシステム。
【請求項１１】
請求項１０に記載のシステムであって、
前記視覚可能な表示が、前記物理的環境の表面上における予測された病原体の存在及び微生物負荷を示すのに使用される色或いは強度の変更を含むことを特徴とするシステム。
【請求項１２】
請求項９に記載のシステムであって、
前記仮想現実ツールが、
前記シミュレーションデータセットの変更の選択を受け取るステップと、
前記疾病伝播モデルを前記変更されたシミュレーションデータに適用し、前記変更されたシミュレーションデータセットに基づいて前記物理的環境における前記病原体の第３の伝播を予測するステップと、
前記物理的環境における前記病原体の前記予測された第３の伝播を示す第２の仮想現実シミュレーションを生成するステップと、
前記変更されたシミュレーションデータに基づいて予測された前記物理的環境における前記病原体の前記第３の伝播の変化を強調表示するようにして、前記第２の仮想現実シミュレーションを仮想現実ディスプレイプラットホームに表示するステップとをさらに実施するように構成されたことを特徴とするシステム。
【請求項１３】
請求項９に記載のシステムであって、
前記シミュレーションデータセットが、前記物理的環境における前記病原体の初期微生物負荷を明確にし、
前記１若しくはそれ以上のシミュレーション被験者の前記物理的環境との相互作用が、前記物理的環境内における前記病原体の拡散を予測するために疾病伝播モデルで使用されることを特徴とするシステム。
【請求項１４】
請求項９に記載のシステムであって、
前記仮想現実シミュレーションが、前記物理的環境と相互作用する１若しくはそれ以上のシミュレーション被験者をさらに表示することを特徴とするシステム。
【請求項１５】
請求項９に記載のシステムであって、
前記疾病伝播モデルが、前記表面の材質、前記シミュレーション被験者と前記表面との間の推定される接触程度及び接触時間、前記シミュレーション被験者同士の接触、前記病原体の種類、或いは、前記シミュレーション被験者の前記物理的環境から前記病原体を減少させるまたは除去するための行動を明らかにするために行われた微生物伝播の研究に基づいたものであることを特徴とするシステム。
【請求項１６】
請求項９に記載のシステムであって、
前記仮想現実ディスプレイプラットホームが、没入型仮想現実環境を含むことを特徴とするシステム。
【請求項１７】
請求項９に記載のシステムであって、
前記データ収集システムが、ビデオ記録システム、動作検出システム、視線追跡システム、及びデータ入力システムのうちの少なくとも１つを含むことを特徴とするシステム。
【請求項１８】
製品メーカが、その製品メーカにより製造された１若しくはそれ以上の製品を使用する医療機関との関係を管理するためのコンピュータ実施方法であって、
請求項１ないし請求項４のいずれかに記載の方法を実施するステップを含む方法。